【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
動画または静止画を表示している表示画面をカメラにより撮像した画像を順次取得する画像取得手段と、
変換情報には、通信情報と、所定期間における輝度変化とが１または複数組対応付けられており、
上記順次取得した複数の画像の輝度変化に一致する輝度変化を、上記変換情報から検出する輝度変化検出手段と、
上記変換情報から、上記輝度変化検出手段が検出した輝度変化に対応付けられている通信情報を特定する通信情報特定手段とを備えることを特徴とする情報取得装置。
【請求項２】
上記画像取得手段が取得した画像から、代表輝度値を特定する代表輝度値特定手段をさらに備え、
上記輝度変化検出手段は、上記順次取得した複数の画像から、それぞれ上記代表輝度値特定手段が特定した複数の代表輝度値によって特定される輝度変化に一致する輝度変化を、上記変換情報から検出することを特徴とする請求項１に記載の情報取得装置。
【請求項３】
上記通信情報特定手段が特定した通信情報と、上記輝度変化検出手段が当該通信情報に対応する輝度変化を検出した領域を示す領域情報とを対応付けて取得する位置情報生成手段をさらに備えることを特徴とする請求項２に記載の情報取得装置。
【請求項４】
上記表示画面を備える表示装置に対して、当該表示装置に対応付けられた通信情報を送信する送信手段をさらに備え、
上記位置情報生成手段は、上記送信手段が送信し、上記通信情報特定手段が特定した通信情報に対応する領域情報に、上記表示装置を示す装置情報を対応付けて、装置位置情報を生成することを特徴とする請求項３に記載の情報取得装置。
【請求項５】
上記表示画面を備える表示装置から、当該表示装置に対応付けられた通信情報を受信する受信手段をさらに備え、
上記位置情報生成手段は、上記受信手段が受信し、上記通信情報特定手段が特定した通信情報に対応する領域情報に、上記表示装置を示す装置情報を対応付けて、装置位置情報を生成することを特徴とする請求項３に記載の情報取得装置。
【請求項６】
上記代表輝度値特定手段は、上記画像取得手段が取得した画像を複数の領域に分割し、分割して得られる領域毎に、当該領域に含まれる各画素の輝度値から、当該領域の代表輝度値を特定し、
上記輝度変化検出手段は、上記順次取得した複数の画像の同一領域から、それぞれ上記代表輝度値特定手段が特定した複数の代表輝度値によって特定される輝度変化に一致する輝度変化を、上記変換情報から検出することを特徴とする請求項２〜５の何れか１項に記載の情報取得装置。
【請求項７】
上記代表輝度値特定手段は、上記画像取得手段が順次取得した複数の画像から被写体の動きベクトルを検出し、動きベクトルによる補正後の画像に対して複数の領域に分割することを特徴とする請求項６に記載の情報取得装置。
【請求項８】
上記通信情報特定手段は、上記輝度変化検出手段が、画像上の所定の範囲内に含まれる複数の領域から同一の輝度変化を検出した場合に、当該輝度変化に対応付けられている通信情報を特定することを特徴とする請求項６または７に記載の情報取得装置。
【請求項９】
表示部と、
上記装置位置情報に含まれる領域情報の示す領域に対応する上記表示部の画面の表示位置に、当該領域情報に対応する装置情報の示す表示装置に関する表示装置関連情報を表示する表示制御手段とをさらに備えることを特徴とする請求項４または５に記載の情報取得装置。
【請求項１０】
上記表示制御手段は、上記画像取得手段が取得した画像に重畳させて、上記表示装置関連情報を表示することを特徴とする請求項９に記載の情報取得装置。
【請求項１１】
表示部を備え、当該表示部に動画または静止画を表示する情報出力装置であって、
通信情報を、上記表示部が出力する輝度値の所定期間における輝度変化を示す輝度変化遷移情報に変換する情報変換手段と、
上記情報変換手段が変換した輝度変化遷移情報の示す輝度変化に従って、所定期間、上記動画または静止画の輝度値を調整して上記表示部に表示する輝度値調整手段とを備えることを特徴とする情報出力装置。
【請求項１２】
動画または静止画を表示している表示画面をカメラにより撮像した画像を順次取得する画像取得ステップと、
変換情報には、通信情報と、所定期間における輝度変化とが１または複数組対応付けられており、
上記順次取得された複数の画像の輝度変化に一致する輝度変化を、上記変換情報から検出する輝度変化検出ステップと、
上記変換情報から、上記輝度変化検出ステップにおいて検出された輝度変化に対応付けられている通信情報を特定する通信情報特定ステップとを含むことを特徴とする情報取得方法。
【請求項１３】
表示部を備え、当該表示部に動画または静止画を表示する情報出力装置の情報出力方法であって、
通信情報を、上記表示部が出力する輝度値の所定期間における輝度変化を示す輝度変化遷移情報に変換する情報変換ステップと、
上記情報変換ステップにおいて変換された輝度変化遷移情報の示す輝度変化に従って、所定期間、上記動画または静止画の輝度値を調整して上記表示部に表示する輝度値調整ステップとを含むことを特徴とする情報出力方法。
【請求項１４】
請求項１〜１０の何れか１項に記載の情報取得装置と、
請求項１１に記載の情報出力装置とを含むことを特徴とする情報通信システム。
【請求項１５】
請求項１〜１０の何れか１項に記載の情報取得装置を動作させるための制御プログラムであって、コンピュータを上記各手段として機能させるための制御プログラム。
【請求項１６】
請求項１１に記載の情報出力装置を動作させるための制御プログラムであって、コンピュータを上記各手段として機能させるための制御プログラム。
【手続補正２】
【補正対象書類名】明細書
【補正対象項目名】０００９
【補正方法】変更
【補正の内容】
【０００９】
本発明に係る情報取得装置は、上記課題を解決するために、動画または静止画を表示している表示画面をカメラにより撮像した画像を順次取得する画像取得手段と、変換情報には、通信情報と、所定期間における輝度変化とが１または複数組対応付けられており、上記順次取得した複数の画像の輝度変化に一致する輝度変化を、上記変換情報から検出する輝度変化検出手段と、上記変換情報から、上記輝度変化検出手段が検出した輝度変化に対応付けられている通信情報を特定する通信情報特定手段とを備えることを特徴としている。
【手続補正３】
【補正対象書類名】明細書
【補正対象項目名】００１０
【補正方法】変更
【補正の内容】
【００１０】
本発明に係る情報取得方法は、上記課題を解決するために、動画または静止画を表示している表示画面をカメラにより撮像した画像を順次取得する画像取得ステップと、変換情報には、通信情報と、所定期間における輝度変化とが１または複数組対応付けられており、上記順次取得された複数の画像の輝度変化に一致する輝度変化を、上記変換情報から検出する輝度変化検出ステップと、上記変換情報から、上記輝度変化検出ステップにおいて検出された輝度変化に対応付けられている通信情報を特定する通信情報特定ステップとを含むことを特徴としている。
【手続補正４】
【補正対象書類名】明細書
【補正対象項目名】００１１
【補正方法】変更
【補正の内容】
【００１１】
上記の構成によれば、上記輝度変化検出手段は、カメラから順次取得した複数の画像の輝度変化に一致する輝度変化を、上記変換情報から検出し、上記通信情報特定手段は、上記変換情報から、上記輝度変化検出手段が検出した輝度変化に対応付けられている通信情報を特定する。
【手続補正５】
【補正対象書類名】明細書
【補正対象項目名】００１５
【補正方法】変更
【補正の内容】
【００１５】
そのため、例えば、表示装置がフレーム間隔（１／６０秒）と同程度かそれ以下の時間間隔で輝度を変化させて通信情報を出力する場合、情報取得装置は、所定の輝度変化を検出すると、その輝度変化は表示装置から送信された通信情報に対応する輝度変化であると判断することができる。よって、撮影範囲が動いたとしても、撮像した画像に少なくとも表示画面の一部が含まれていれば、情報取得装置は高精度に通信情報を検出することができる。
また、本発明に係る情報取得装置は、上記画像取得手段が取得した画像から、代表輝度値を特定する代表輝度値特定手段をさらに備え、上記輝度変化検出手段は、上記順次取得した複数の画像から、それぞれ上記代表輝度値特定手段が特定した複数の代表輝度値によって特定される輝度変化に一致する輝度変化を、上記変換情報から検出することが好ましい。
上記の構成によれば、画像取得手段が順次取得した複数の画像から、画像を代表する代表輝度値を特定した上で、その代表輝度値を用いて通信情報を検出することができる。